(57)【特許請求の範囲】
【請求項１】
前面が開口した商品陳列室を有するショーケース本体と、
前記商品陳列室内に上下方向に配列して設けられた複数段の商品陳列棚と、
前記商品陳列室内の下部に設けられ、前端部が前記ショーケース本体の前部側に設けられた前端支持部に支持されるとともに後端部が前記ショーケース本体の後部側に設けられた後端支持部に支持された陳列パン受けと、
前記陳列パン受け上に載置された陳列パンと、
を有するオープンショーケースにおいて、
前記ショーケース本体の前記後端支持部の上方に陳列パン受け支持体が着脱可能に取付けられ、
前記陳列パン受け支持体には、前端部を前記前端支持部に支持された前記陳列パン受けの後端部を着脱可能に支持する複数の第２後端支持部が上下方向に沿って設けられ、
複数の前記第２後端支持部は、前記前端支持部からの寸法が略同じ寸法となる位置に設けられていることを特徴とするオープンショーケース。
【請求項２】
前記ショーケース本体の後部側には前記商品陳列棚が着脱可能に取付けられる複数の棚取付部が上下方向に沿って設けられ、前記陳列パン受け支持体には前記棚取付部に着脱可能に取付けられる被取付部が設けられていることを特徴とする請求項１記載のオープンショーケース。
【請求項３】
前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンに対して着脱可能に取付けられていることを特徴とする請求項１又は２記載のオープンショーケース。
【請求項４】
前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンの上面より上方に突出する立ち上り部を備えることを特徴とする請求項１又は２記載のオープンショーケース。
【請求項５】
前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンに対して着脱可能に取付けられ、前記陳列パンの上面より上方に突出する立ち上り部を備えることを特徴とする請求項１又は２記載のオープンショーケース。
【請求項６】
ショーケース本体に形成された商品陳列室内の後部側に着脱可能に取付けられる陳列パン受け支持体であって、
前記陳列パン受け支持体には、前端部を前記ショーケース本体の前部側に設けられた前端支持部に支持された陳列パン受けの後端部を着脱可能に支持する複数の第２後端支持部が、前記陳列パン受け支持体を前記商品陳列室内に取付けた場合に上下方向となる方向に沿って複数設けられ、
複数の前記第２後端支持部は、前記陳列パン受け支持体を前記商品陳列室内に取付けた場合に、前記前端支持部からの寸法が略同じ寸法となる位置に設けられていることを特徴とする陳列パン受け支持体。
【請求項７】
前記陳列パン受け支持体には、前記ショーケース本体に形成されて前記商品陳列室内に設けられる陳列棚が着脱可能に取付られる棚取付部に着脱可能に取付けられる被取付部が設けられていることを特徴とする請求項６記載の陳列パン受け支持体。
【発明の詳細な説明】
【技術分野】
【０００１】
本発明は、オープンショーケース及び陳列パン受け支持体に関する。
【背景技術】
【０００２】
従来、スーパーマーケットやコンビニエンスストア等では、商品を陳列するケースとしてオープンショーケースが使用されている。オープンショーケースは前面が開口した商品陳列室を有し、商品陳列室内には、上下方向に配列された複数段の商品陳列棚と、商品陳列室内の下部に配置された平板状の陳列パン（デッキパン）とが設けられている。
【０００３】
陳列パンは、例えば、下記特許文献１の図３に示されるように、前後方向に延出させて設けられた陳列パン受け（ワイヤーフレーム）上に載置されている。
【０００４】
特許文献１の図３に示されたオープンショーケースの陳列パン受けは、前端部がショーケース本体の前部壁に形成された係止穴に係止して支持され、後端部がショーケース本体の後部壁に形成された係止穴に係止して支持されている。後部壁には上下方向に複数の係止穴が形成されており、陳列パン受けの後端部を支持する係止穴を変更することにより陳列パン受けの傾斜角度を調節することができる。そして、陳列パン受けの傾斜角度を調節することに伴ない、陳列パン受け上に載置される陳列パンの傾斜角度を調節することができる。なお、陳列パンは、商品陳列室内や陳列パン上に陳列する商品の種類、数量等に応じて傾斜角度を調節して使用することが一般的に行われている。
【０００５】
ここで、特許文献１の図３に記載されたように、陳列パン受けの後端部を支持する係止穴を変更することにより陳列パン受けの傾斜角度を調節する構造では、陳列パン受けの傾斜角度が大きくなると陳列パン受けの後端部が係止穴に届かなくなる。したがって、陳列パン受け及び陳列パンの傾斜角度の調節範囲は制限されており、陳列パンの傾斜角度の調節範囲を大きくしたいという要望がある。
【０００６】
このような要望に応じ、陳列パンの傾斜角度の調節範囲を大きくしたオープンショーケースとしては、例えば、特許文献１の図１及び図２、下記特許文献２に記載されたものが知られている。
【０００７】
特許文献１の図１及び図２に記載されたオープンショーケースは、前端部をショーケース本体の前部壁の係止穴に支持されて後端部が上下方向回動可能な陳列パン受けと、後端部をショーケース本体の後部壁の係止穴に支持されて前端部が上下方向回動可能なワイヤー構造の支持部材とを備えている。そして、陳列パン受けの後端部に対する支持部材の前端部の連結位置を変更し、陳列パン受けの後端部を上下方向に回動させることにより陳列パン受けの傾斜角度を調節している。このオープンショーケースによれば、陳列パン受けの傾斜角度が大きくなって陳列パン受けの後端部がショーケース本体の後部壁から離れた場合でも、その位置で陳列パン受けを位置固定することができ、陳列パンの傾斜角度を大きくすることができる。
【０００８】
特許文献２に記載されたオープンショーケースは、前端部がショーケース本体の前部壁の取付孔に係止され、後端部がショーケース本体の後部壁の取付孔に係止された伸縮可能な陳列パン受け（デッキパン受け）を備えている。この陳列パン受けは、線材からなる主支持部材と線材からなる補助支持部材とをスライド可能に組み合わせて形成されている。また、ショーケース本体の後部壁には、上下方向に沿って複数の取付孔が形成されている。陳列パン受け及び陳列パンの傾斜角度を大きくする場合には、陳列パン受けの長さが伸
びる方向へ主支持部材と補助支持部材とをスライドさせ、長さを伸ばした陳列パン受けの後端部を上方に位置する取付孔に係止する。
【先行技術文献】
【特許文献】
【０００９】
【特許文献１】特開平６−３０４０５４号公報
【特許文献２】特開平６−５０６５５号公報
【発明の概要】
【発明が解決しようとする課題】
【００１０】
しかしながら、特許文献１の図１及び図２、特許文献２に記載されたオープンショーケースは、陳列パンの傾斜角度の調節範囲を大きくすることを目的として設計されたものであり、特殊な構造の陳列パン受けを使用している。
【００１１】
したがって、特許文献１の図３に示されているような一般的な陳列パン受けを使用している既存のオープンショーケースでは、陳列パンの傾斜角度の調節範囲は制限されている。
【００１２】
本発明はこのような課題を解決するためになされたもので、その目的は、特殊な構造の陳列パン受けを使用していない既存のオープンショーケースにおいても、陳列パンの傾斜角度の調節範囲を拡大することである。
【課題を解決するための手段】
【００１３】
本発明に係る第１の特徴は、前面が開口した商品陳列室を有するショーケース本体と、前記商品陳列室内に上下方向に配列して設けられた複数段の商品陳列棚と、前記商品陳列室内の下部に設けられ、前端部が前記ショーケース本体の前部側に設けられた前端支持部に支持されるとともに後端部が前記ショーケース本体の後部側に設けられた後端支持部に支持された陳列パン受けと、前記陳列パン受け上に載置された陳列パンと、を有するオープンショーケースにおいて、前記ショーケース本体の前記後端支持部の上方に陳列パン受け支持体が着脱可能に取付けられ、前記陳列パン受け支持体には、前端部を前記前端支持部に支持された前記陳列パン受けの後端部を着脱可能に支持する複数の第２後端支持部が上下方向に沿って設けられ、複数の前記第２後端支持部は、前記前端支持部からの寸法が略同じ寸法となる位置に設けられていることである。
【００１５】
本発明に係る第２の特徴は、第１の特徴に係るオープンショーケースにおいて、前記ショーケース本体の後部側には前記商品陳列棚が着脱可能に取付けられる複数の棚取付部が上下方向に沿って設けられ、前記陳列パン受け支持体には前記棚取付部に着脱可能に取付けられる被取付部が設けられていることである。
【００１６】
本発明に係る第３の特徴は、第１又は第２の特徴に係るオープンショーケースにおいて、前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンに対して着脱可能に取付けられていることである。
【００１７】
本発明に係る第４の特徴は、第１又は第２の特徴に係るオープンショーケースにおいて、前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンの上面より上方に突出する立ち上り部を備えることである。
【００１８】
本発明に係る第５の特徴は、第１又は第２の特徴に係るオープンショーケースにおいて、前記陳列パンは前記商品陳列室内にこの商品陳列室の左右方向に沿って複数設けられ、前記陳列パンの左右方向の少なくとも一方の端部に、前記陳列パンの下方に延出した側面塞ぎ板が設けられ、前記側面塞ぎ板は、前記陳列パンに対して着脱可能に取付けられ、前記陳列パンの上面より上方に突出する立ち上り部を備えることである。
【００１９】
本発明に係る第６の特徴は、ショーケース本体に形成された商品陳列室内の後部側に着脱可能に取付けられる陳列パン受け支持体であって、前記陳列パン受け支持体には、前端部を前記ショーケース本体の前部側に設けられた前端支持部に支持された陳列パン受けの後端部を着脱可能に支持する複数の第２後端支持部が、前記陳列パン受け支持体を前記商品陳列室内に取付けた場合に上下方向となる方向に沿って複数設けられ、複数の前記第２後端支持部は、前記陳列パン受け支持体を前記商品陳列室内に取付けた場合に、前記前端支持部からの寸法が略同じ寸法となる位置に設けられていることである。
ある。
【００２１】
本発明に係る第７の特徴は、第６の特徴に係る新列パン受け支持体において、前記陳列パン受け支持体には、前記ショーケース本体に形成されて前記商品陳列室内に設けられる陳列棚が着脱可能に取付られる棚取付部に着脱可能に取付けられる被取付部が設けられていることである。
【発明の効果】
【００２２】
本発明に係る第１及び第６の特徴によれば、ショーケース本体の後端支持部の上方に陳列パン受け支持体を取付け、前端部を前端支持部に支持した陳列パン受けの後端部を第２後端支持部に支持することにより、特殊な構造の陳列パン受けを使用していない既存のオープンショーケースにおいても、陳列パン受け及び陳列パンの傾斜角度の調節範囲を拡大することができ、同じ長さの陳列パン受けを使用し、この陳列パン受けの前端部を前端支持部に支持するとともに後端部を第２後端支持部のいずれかに支持することによって陳列パン受けの傾斜角度を調節することができる。
【００２４】
本発明に係る第２及び第７の特徴によれば、ショーケース本体への陳列パン受け支持体の取付けを、陳列パン受け支持体に設けられている被取付部をショーケース本体に形成されている棚取付部に取付けることにより行うことができる。
【００２５】
本発明に係る第３の特徴によれば、隣り合って位置する陳列パンの傾斜角度が異なる場合に、傾斜角度を小さくした陳列パン上に陳列した商品が傾斜角度を大きくした陳列パンの下側に入り込むということを側面塞ぎ板によって防止することができ、隣り合って位置する陳列パンの傾斜角度を同じにしたために側面塞ぎ板が不要な場合には側板塞ぎ板を簡単に取り外すことができ、及び、側面塞ぎ板が必要な場合には簡単に取付けることができる。
【００２６】
本発明に係る第４の特徴によれば、隣り合って位置する陳列パンの傾斜角度が異なる場合に、傾斜角度を大きくした陳列パン上に陳列した商品が傾斜角度を小さくした陳列パン上に落下するということを立ち上り部によって防止することができる。
【００２７】
本発明に係る第５の特徴によれば、隣り合って位置する陳列パンの傾斜角度が異なる場合に、傾斜角度を小さくした陳列パン上に陳列した商品が傾斜角度を大きくした陳列パンの下側に入り込むということを側面塞ぎ板によって防止することができ、隣り合って位置する陳列パンの傾斜角度を同じにしたために側面塞ぎ板が不要な場合には側板塞ぎ板を簡単に取り外すことができ、及び、側面塞ぎ板が必要な場合には簡単に取付けることができ、隣り合って位置する陳列パンの傾斜角度が異なる場合に、傾斜角度を大きくした陳列パン上に陳列した商品が傾斜角度を小さくした陳列パン上に落下するということを立ち上り部によって防止することができる。
【図面の簡単な説明】
【００２８】
【図１】陳列パン受け支持体を用いて陳列パンの傾斜角度を大きくした本発明の一実施の形態のオープンショーケースを示す断面側面図である。
【図２】陳列パン受け支持体を用いない場合のオープンショーケースを示す断面側面図である。
【図３】陳列パン受け支持体及び陳列パンを拡大して示す断面側面図である。
【図４】ブラケットを示す側面図である。
【図５】支持板を示す側面図である。
【図６】ブラケットへの支持板の連結構造を示す断面図である。
【図７】陳列パン受け支持体を示す斜視図である。
【図８】陳列パンと側面塞ぎ板とを示す斜視図である。
【図９】陳列パンと側面塞ぎ板とを示す断面正面図である。
【発明を実施するための形態】
【００２９】
本発明の一実施の形態を図面に基づいて説明する。オープンショーケース１は、図１及び図２に示すようにショーケース本体２を有し、このショーケース本体２には前面が開口した商品陳列室３が形成されている。商品陳列室３は商品が陳列される空間であり、下側部分を床パン４で覆われ、背面部分を背面板５で覆われ、天井部分を天上板６で覆われている。
【００３０】
ショーケース本体２には、床パン４の下側と背面板５の裏側と天上板６の上側とにそれぞれ空間が設けられており、これらの空間を連通させることにより商品陳列室３の周囲を囲む略コの字形状のダクト７が形成されている。ダクト７の上端側先端部には下向きに開口した吹出口８が形成され、ダクト７の下端側先端部には上向きに開口した吸込口９が形成されている。
【００３１】
ダクト７内には、冷却器１０と送風ファン１１とが設置されている。冷却器１０と送風ファン１１とが駆動されることにより、ダクト７内の空気が冷却され、冷却された空気（冷却空気）がダクト７内を矢印方向に流れて吹出口８から吹出す。吹出口８から吹出した冷却空気は吸込口９から吸込まれ、吹出口８と吸込口９との間に冷却空気のエアカーテンが形成され、この冷却空気のエアカーテンが形成されることにより商品陳列室３内に陳列された商品が冷却される。
【００３２】
商品陳列室３内には、複数段の商品陳列棚１２と、陳列パン１３と、陳列パン受け１４と、陳列パン受け支持体１５とが設けられている。なお、陳列パン受け支持体１５は、必要に応じて着脱されるものであり、図１は陳列パン受け支持体１５を取付けた場合のオープンショーケース１を示し、図２は陳列パン受け支持体１５を取付けない場合のオープンショーケース１を示している。
【００３３】
商品陳列棚１２は、上下方向に配列されて商品が陳列される棚であり、ショーケース本体２の後部側の部材である背面板５に着脱可能及び上下方向位置調節可能に取付けられている。背面板５には上下方向及び左右方向に沿って複数の棚取付部である棚取付孔１６が形成され、商品陳列棚１２に形成された引掛け爪（図示せず）を棚取付孔１６に引掛けることにより、商品陳列棚１２が背面板５に取付けられている。
【００３４】
背面板５の下側部分には、ショーケース本体２の前部側（商品陳列室３の前面側）に向けて張り出した張出部５ａが形成されている。この張出部５ａの上部に位置して、陳列パン受け支持体１５が取付けられている。尚、背面板５への陳列パン受け支持体１５の取付けは、張出部５ａが形成されていない形式のオープンショーケースにおいても同様に行える。
【００３５】
陳列パン受け支持体１５は、図７に示すように、一対のブラケット１７と、これらのブラケット１７に連結される支持板１９とにより形成されている。
【００３６】
ブラケット１７にはそれぞれ被取付部である引掛け爪１７ａが形成され、これらの引掛け爪１７ａを背面板５に形成された棚取付孔１６に引掛けることにより、背面板５へのブラケット１７の取付けが行われている。また、ブラケット１７を背面板５に取付けた場合に上側となるブラケット１７の上縁部分には、図４に示すように、支持板１９を連結するための一対の係合凹部１８と、係合凹部１８の縁部に位置する突部１８ａとが形成されている。
【００３７】
支持板１９は、図５に示すように、一枚の板状部材を、正面板部１９ａと上面板部１９ｂと背面板部１９ｃと側面板部１９ｄとに折り曲げることにより形成されている。そして、この支持板１９を、背面板５に取付けられている一対のブラケット１７に連結することにより陳列パン受け支持体１５が形成される。支持板１９をブラケット１７に連結して陳列パン受け支持体１５を形成した場合、正面板部１９ａがショーケース本体２の前部側を向き、上面板部１９ｂがショーケース本体２の上方側を向き、背面板部１９ｃがショーケース本体２の後部側を向き、側面板部１９ｄがショーケース本体２の左右側面側を向く。上面板部１９ｂの裏面におけるショーケース本体２の左右側面方向の両側には一対の板部材１９ｅが溶接されており、これらの板部材１９ｅには支持板１９をブラケット１７に連結するための係合凸部１９ｆと、固定用穴１９ｇとが形成されている。ブラケット１７に支持板１９を連結する場合には、図６に示す手順で行う。まず、図６の（ａ）に示すように、背面板５に取付けられたブラケット１７の上方から支持板１９を被せ、係合凸部１９ｆを係合凹部１８にはめ込む。ついで、図６の（ｂ）に示すように、支持板１９をショーケース本体２の正面側へスライドさせ、固定用穴１９ｇに突部１８ａを挿入することにより支持板１９を位置固定する。なお、各ブラケット１７にはそれぞれ一対の係合凹部１８が形成されており、支持板１９をブラケット１７に連結する場合に使用する係合凹部１８を選択することにより、ブラケット１７への支持板１９の連結位置をショーケース本体２の後部側と前部側とに変更することができる。
【００３８】
張出部５ａにおけるショーケース本体２の前部側を向いた面には、上下方向及び左右方向に沿って後端支持部である複数の後端支持孔２０が形成されている。支持板１９の正面板部１９ａには、後端支持孔２０と同様の形状をした第２後端支持部である複数の第２後端支持孔２１が上下方向及び左右方向に沿って形成されている。ショーケース本体２の前部側の下部には、吸込口９を形成する壁となる立ち上り壁部２２が設けられており、この立ち上り壁部２２におけるショーケース本体２の後部側を向いた面には、上下方向及び左右方向に沿って前端支持部である複数の前端支持孔２３が形成されている。
【００３９】
陳列パン受け１４は、商品陳列室３の前後方向に延出して陳列パン１３を支持する棒状のワイヤー部材であり、前端部が前端支持孔２３に挿入されて着脱可能に支持され、及び、後端部が第２後端支持孔２１又は後端支持孔２０に挿入されて着脱可能に支持されている。陳列パン受け１４の後端部には抜け止め突起２４が設けられており、この抜け止め突起２４が第２後端支持孔２１又は後端支持孔２０の縁部に係合することにより、陳列パン受け１４の後端部が第２後端支持孔２１又は後端支持孔２０から抜け止めされている。また、陳列パン受け１４の前端部には同様の形状の抜け止め突起２５が設けられており、抜け止め突起２５が前端支持孔２３の縁部に係合することにより、陳列パン受け１４の前端部が前端支持孔２３から抜け止めされている。
【００４０】
支持板１９の正面板部１９ａは、上方に向かうにつれてショーケース本体２の前部側に近付く向きに傾斜している。正面板部１９ａがこのように傾斜していることにより、この正面板部１９ａに上下方向に沿って形成されている複数の第２後端支持孔２１は、前端支持孔２３からの寸法が略同じ寸法とされている。さらに、前端支持孔２３から後端支持孔２０までの寸法と、前端支持孔２３から第２後端支持孔２１までの寸法も略同じ寸法とされている。これにより、同じ長さの陳列パン受け１４を前端支持孔２３と後端支持孔２０
との間、及び、前端支持孔２３と第２後端支持孔２１との間で支持することができる。したがって、陳列パン受け支持体１５を用いない場合、及び、陳列パン受け支持体１５を用いる場合のいずれの場合でも、同じ長さの陳列パン受け１４を傾斜角度を変えた状態で支持することができ、その陳列パン受け１４上に陳列パン１３を傾斜角度を変えた状態で載置することができる。
【００４１】
陳列パン１３は、商品陳列室３内において、最下段の商品陳列棚１２の下方に配置されて商品が載置される平板状の部材であり、前端部を前端支持孔２３に支持されるとともに後端部を第２後端支持孔２１又は後端支持孔２０に支持された陳列パン受け１４上に載置されている。陳列パン１３は、磁性体の金属材料、例えば、鉄により形成されている。また、陳列パン１３及び陳列パン受け１４は、商品陳列室３内において、この商品陳列室３内の左右方向に沿って複数設けられている。例えば、一対の陳列パン受け１４の上に一つの陳列パン１３が載置されている。
【００４２】
商品陳列室３内の左右方向に沿った方向である陳列パン１３の左右方向の両側には、側面塞ぎ板２６が取付けられている。側面塞ぎ板２６は、図８及び図９に示すように、商品陳列室３の前後方向に沿った方向である陳列パン１３の前後方向の全長を覆うとともに、陳列パン１３の下方に延出して陳列パン１３の下側を塞ぐ形状に形成されている。側面塞ぎ板２６の上部側には、陳列パン１３の上面側に張り出した張出部２７が形成され、この張出部２７の下面部分に帯状の磁石２８が固定されている。陳列パン１３への側面塞ぎ板２６の取付けは、磁石２８を用いて着脱可能に行われている。さらに、側面塞ぎ板２６の上部には、陳列パン１３の上面より上方に突出する立ち上り部２９が形成されている。この立ち上り部２９は、陳列パン１３の前後方向の全長に亘って形成されている。なお、陳列パン１３への側面塞ぎ板２６の取付けは、磁石２８に代えた他の部材、例えば、マジックテープ（登録商標）を使用してもよい。
【００４３】
床パン４は、商品陳列室３の左右方向に沿って配列された複数の板部材により形成されており、隣り合った板部材の間には、側面塞ぎ板２６を取付けた陳列パン１３の傾斜角度を小さくした場合に、側面塞ぎ板２６の下縁側部分が入り込むことを許容する隙間が存在する。
【００４４】
このような構成において、図２に示すように陳列パン受け支持体１５を使用しない場合のオープンショーケース１では、陳列パン受け１４の前端部が立ち上り壁部２２に形成された前端支持孔２３に挿入して支持され、陳列パン受け１４の後端部が張出部５ａに形成された後端支持孔２０に挿入して支持されている。前端部を前端支持孔２３に支持されるとともに後端部を後端支持孔２０に支持された陳列パン受け１４は、水平状態又は後端側が僅かに上方となる緩やかな傾斜状態となっている。そして、この陳列パン受け１４上に陳列パン１３が載置され、陳列パン受け１４上に載置された陳列パン１３も水平状態又は後端側が僅かに上方となる緩やかな傾斜状態となり、陳列パン１３上に商品が陳列されている。なお、一つの陳列パン１３は、左右方向で平行に配置された一対の陳列パン受け１４上に載置される。
【００４５】
商品陳列室３内に陳列される商品の種類や商品の量によっては、陳列パン１３の後端側を前端側より大幅に高くし、陳列パン１３の傾斜角度を大きくしたいという要望がある。例えば、商品陳列室３内に陳列する商品の量は少ないけれども陳列している商品の量を多く見せたい場合や、購入者にとって商品が目につきやすくなる購入者の目の位置から３０センチ程度の距離のスペース（ゴールデンスペース）を広くしたい場合などである。
【００４６】
このような場合には、図１に示すように、陳列パン受け支持体１５をショーケース本体２に取付け、陳列パン受け支持体１５の支持板１９に形成されている第２後端支持孔２１
を利用して陳列パン受け１４を支持する。この場合、最下段の商品陳列棚１２を取り外し、傾斜角度が大きくなった陳列パン１３上に陳列される商品の陳列スペースを確保することが好ましい。
【００４７】
ショーケース本体２への陳列パン受け支持体１５の取付けは、ブラケット１７に形成されている引掛け爪１７ａを背面板５に形成されている棚取付孔１６に引掛け、背面板５に取付けたブラケット１７に支持板１９を図６に示した手順で連結することにより行える。したがって、既存のオープンショーケース１においても、陳列パン受け支持体１５を取付けるための新たな加工を施すことなく、陳列パン受け支持体１５を取付けることができる。
【００４８】
陳列パン受け支持体１５を取付けた後は、陳列パン受け１４の前端部を前端支持孔２３に挿入して支持するとともに、陳列パン受け１４の後端部をいずれかの第２後端支持孔２１に挿入して支持する。これにより、陳列パン受け１４は、陳列パン受け支持体１５を使用しない場合（図２に示す場合）に比べて大きな傾斜角度で支持されることになる。なお、陳列パン受け１４の後端部に設けられている抜け止め突起２４を第２後端支持孔２１の縁部に係合させることにより、陳列パン受け１４の傾斜角度が大きくなっても陳列パン受け１４の後端部が第２後端支持孔２１から抜け落ちるということが防止される。
【００４９】
また、前端支持孔２３から後端支持孔２０及び第２後端支持孔２１までの寸法が略同じ寸法に形成されているため、陳列パン受け支持体１５を使用していない場合（図２に示す場合）に使用していた陳列パン受け１４を引き続き使用することができる。
【００５０】
そして、大きな傾斜角度で支持された陳列パン受け１４上に陳列パン１３を大きく傾斜させた状態で載置することができ、大きく傾斜させた状態の陳列パン１３上に商品を陳列することができる。
【００５１】
陳列パン１３は商品陳列室３の左右方向に沿って複数設けられており、必要に応じて陳列パン１３の傾斜角度を個々に変えることができ、隣り合って位置する陳列パン１３の傾斜角度が異なる場合が発生しうる。しかし、陳列パン１３の両側には側面塞ぎ板２６が取付けられているため、隣り合って位置する陳列パン１３の傾斜角度が異なることが原因となる不都合、例えば、傾斜角度を小さくした陳列パン１３上に陳列されている商品が傾斜角度を大きくした陳列パン１３の下側に入り込むということを側面塞ぎ板２６によって防止することができる。
【００５２】
また、側面塞ぎ板２６には立ち上り部２９が形成されているため、隣り合って位置する陳列パン１３の傾斜角度が異なる場合に、傾斜角度を大きくした陳列パン１３上に陳列されている商品が傾斜角度を小さくした陳列パン１３上に落下するということを立ち上り部２９によって防止することができる。
【００５３】
さらに、陳列パン１３への側面塞ぎ板２６の取付けは、磁石２８を用いて着脱可能に行われている。このため、隣り合って位置する陳列パン１３の傾斜角度を同じにしたために側面塞ぎ板２６が不要な場合などには、必要に応じて側面塞ぎ板２６を簡単に取り外すことができ、及び、必要な場合には側面塞ぎ板２６を簡単に取付けることができる。
【符号の説明】
【００５４】
１      オープンショーケース
２      ショーケース本体
３      商品陳列室
４      床パン
５      背面板
５ａ    張出部
６      天井板
７      ダクト
８      吹出口
９      吸込口
１０      冷却器
１１      送風ファン
１２      商品陳列棚
１３      陳列パン
１４      陳列パン受け
１５      陳列パン受け支持体
１６      棚取付孔（棚取付部）
１７      ブラケット
１７ａ    引掛け爪（被取付部）
１８      係合凹部
１８ａ    突部
１９      支持板
１９ａ    正面板部
１９ｂ    上面板部
１９ｃ    背面板部
１９ｄ    側面板部
１９ｅ    板部材
１９ｆ    係合凸部
１９ｇ    固定用穴
２０      後端支持孔（後端支持部）
２１      第２後端支持孔（第２後端支持部）
２２      立ち上り壁部
２３      前端支持孔（前端支持部）
２４      抜け止め突起
２５      抜け止め突起
２６      側面塞ぎ板
２７      張出部
２８      磁石
２９      立ち上り部
【図１】
0005660855.tif 000002
【図２】
0005660855.tif 000003
【図３】
0005660855.tif 000004
【図４】
0005660855.tif 000005
【図５】
0005660855.tif 000006
【図６】
0005660855.tif 000007
【図７】
0005660855.tif 000008
【図８】
0005660855.tif 000009
【図９】
0005660855.tif 000010